(57)【要約】【課題】  画像データの特定の領域を複写して画像データに合成し得る画像処理装置を構成する。【解決手段】  画像データＧｄの複写領域Ｃを複写手段３７Ａで複写して複写データＣｄを生成し、この複写データＣｄを、合成手段３７Ｂが予め設定されて合成ルールに従って表示位置Ｙに表示する形態で画像データに合成するように画像処理装置を構成した。【選択図】        図４
2006203759.tif 000002
【特許請求の範囲】
【請求項１】
画像データに加工を施す画像処理部を備えている画像処理装置であって、
前記画像処理部が、前記画像データのうち複写領域を複写する複写手段と、この複写手段で複写した複写データを設定された合成ルールに従って前記画像データに重ね合わせて合成する合成手段を備えている画像処理装置。
【請求項２】
前記複写手段が、前記画像データの中央領域を複写領域として初期設定するよう処理形態が設定されている請求項１記載の画像処理装置。
【請求項３】
前記画像データを表示するディスプレイを備えると共に、前記複写手段が、前記ディスプレイに表示された画像データから前記複写領域を指定する操作を許すインタフェースを備えている請求項１記載の画像処理装置。
【請求項４】
前記合成ルールが、前記複写データの配置形態を決める配置パターンと、この配置パターンに従って前記複写データの表示位置を設定する表示位置データとで構成され、
この配置パターンと表示位置データとを任意に設定する設定部を備えている請求項１〜３のいずれか１項に記載の画像処理装置。
【請求項５】
前記配置パターンとして複数の前記複写データを配置するものが設定される共に、
前記合成手段が、前記合成された複数の複写データの１つをオペレータの指定した位置に移動する操作を許容し、この操作と連係して、他の前記複写データを前記配置パターンに従った配置形態において再合成する処理を行うように処理形態が設定されている請求項４記載の画像処理装置。
【請求項６】
前記画像データを取得する画像データ取得手段と、前記合成手段で合成された画像データをプリント部、或いは外部メディア書き込み部に伝送する処理実行手段を備えている請求項１〜５のいずれか１項に記載の画像処理装置。
【発明の詳細な説明】
【技術分野】
【０００１】
本発明は、画像データに加工を施す画像処理部を備えている画像処理装置に関し、詳しくは画像を合成する技術に関する。
【背景技術】
【０００２】
従来、上記のように構成された画像処理装置と類似する技術が特許文献１に記載されている。この特許文献１では、撮影した画像データを表示手段に表示し、このように表示された画像データ上に表示したカーソルの操作で画像データの一部を切り取って画像パターンを作り出す。次に、撮影済みの画像パターン（本発明の画像データ）からカーソルの操作で合成すべき範囲を指定する操作を行い、この後に、この範囲を切り貼り合成する処理を行える合成撮影カメラが構成されている。
【０００３】
【特許文献１】特開２００１‐４５３４６号公報  （段落番号〔００１１〕〜〔００１９〕、図２）
【発明の開示】
【発明が解決しようとする課題】
【０００４】
画像処理装置の一例としてＤＰ店に設置されている写真プリント装置を例に挙げると、近年のデジタルカメラの急速な普及に対応して、デジタルカメラで撮影した画像データからプリントを行えるものが一般化しつつある。つまり、近年の写真プリント装置では、デジタル信号化された画像データの処理を行う画像処理系と、デジタル型のプリントヘッドと、現像処理系とを備えている。そして、前記画像処理系での画像データの処理により色補正やコントラストの補正等の画像処理を行い、前記プリントヘッドで印画紙に対する露光を行い、このように露光された印画紙を前記現像処理系で現像処理することにより写真を得る。
【０００５】
また、この種の写真プリント装置では、デジタル信号化された画像データの処理を行うため、銀塩式のカメラで使用された写真フィルムのコマ画像をプリントする場合には写真フィルムのコマ画像の光電変換により画像データを生成している。
【０００６】
近年のようにデジタルカメラが普及する以前には、撮影画像に特殊な効果を与える手段として、カメラのレンズに対して特殊な効果を得るフィルタを装着することも多く行われていた。特に、単一の被写体を複数化して撮影画像中に写し出すために使用されるフィルタとして、フィルタ面としてカットグラスのように傾斜面を形成した構造のものが存在した。この構造のフィルタでは、画像の中心で撮影した被写体と、同じ複数の像を、被写体の周囲に写し出す効果を得るため、好んで使用する者も多かった。尚、この種のフィルタは光軸を中心として回転させることにより、映し出した被写体を回転させる形態で映し出す位置を変更できるものである。
【０００７】
しかしながら、撮影画像中に映し出す被写体の数と、写し出される被写体の位置とはフィルタの構造によって決まるものであるため、使用する者が意図した撮影画像を得難い面もあった。更に、この種のフィルタはプリズムと同様の光学特性を利用するものであるため、色収差の発生は避けることができず、撮影画像に色収差に起因する不自然な色が作り出される結果、プリントの質を下げる原因にもなり、改善の余地がある。
【０００８】
本発明の目的は、画像データの特定の領域を複写して画像データに合成し得る画像処理装置を合理的に構成する点にある。
【課題を解決するための手段】
【０００９】
本発明の特徴は、画像データに加工を施す画像処理部を備えている画像処理装置であって、
前記画像処理部が、前記画像データのうち複写領域を複写する複写手段と、この複写手段で複写した複写データを設定された合成ルールに従って前記画像データに重ね合わせて合成する合成手段を備えている点にある。
【００１０】
この構成により、複写手段が画像データの複写領域を複写し、この複写データを合成手段が合成ルールに従って画像データに合成できる。その結果、例えば、特に強調したい被写体や、特殊な効果を作り出したい被写体を複数に増大させた複写データを作り出すことができる。特に、本発明では、画像処理によって複写データを生成できるので、従来からのフィルタを用いたような色収差を招くことなく、良好な画質のプリントを行える。
【００１１】
本発明は、前記複写手段が、前記画像データの中央領域を複写領域として初期設定するよう処理形態が設定しても良い。
【００１２】
この構成により、初期設定の状態で処理を行う場合には、画像データの中央領域を複写領域として設定して合成手段による合成処理を行え、オペレータが特別な操作を行う必要がない。
【００１３】
本発明は、前記画像データを表示するディスプレイを備えると共に、前記複写手段が、前記ディスプレイに表示された画像データから前記複写領域を指定する操作を許すインタフェースを備えても良い。
【００１４】
この構成により、ディスプレイに表示された画像データを視覚で確認しながら、オペレータが複写領域を指定でき、複写データに不必要な画像データを含ませる不都合を抑制し、適切なサイズの複写データを使用して合成処理を行える。
【００１５】
本発明は、前記合成ルールが、前記複写データの配置形態を決める配置パターンと、この配置パターンに従って前記複写データの表示位置を設定する表示位置データとで構成され、
この配置パターンと表示位置データとを任意に設定する設定部を備えても良い。
【００１６】
この構成により、配置パターンと表示位置データとに基づいて複写データを、画像データに合成することが可能となる。また、配置パターンと表示位置データとを任意に設定することにより、オペレータが意図とする効果を得る。
【００１７】
本発明は、前記配置パターンとして複数の前記複写データを配置するものが設定される共に、
前記合成手段が、前記合成された複数の複写データの１つをオペレータの指定した位置に移動する操作を許容し、この操作と連係して、他の前記複写データを前記配置パターンに従った配置形態において再合成する処理を行うように処理形態を設定しても良い。
【００１８】
この構成により、合成された複数の複写データの１つをオペレータが指定した位置に対して再配置することにより、この複写データの再配置と連係して、他の複写データが前記配置パターンに従って再配置できる。
【００１９】
本発明は、前記画像データを取得する画像データ取得手段と、前記合成手段で合成された画像データをプリント部、或いは外部メディア書き込み部に伝送する処理実行手段を備えても良い。
【００２０】
この構成により、画像データ取得手段で取得した画像データを前記画像処理部で処理することにより合成処理を行え、このように合成処理による合成画像データを処理実行手段がプリント部に伝送してプリントを行う、或いは外部メディア書き込み部に伝送して合成画像データをメディアに保存できる。
【発明を実施するための最良の形態】
【００２１】
以下、本発明の実施形態を図面に基づいて説明する。
〔全体構成〕図１に示すように、現像済みの写真フィルムＦのコマ画像のデジタル信号化を行い、デジタル信号化された画像データの処理を行い、システム全体の基本的な制御を行うオペレート部Ａを備えると共に、感光材料としての銀塩式の印画紙Ｐに対して露光処理と現像処理とを行い、かつ、乾燥処理を行った後に送り出すプリント部Ｂとを備えることによりデジタルミニラボと称せられる写真プリント装置が構成されている。
【００２２】
〔オペレート部〕前記オペレート部Ａは、コンソール１に対して前記写真フィルムＦのコマ画像を光電変換によりデジタル信号化して画像データとして取り込むフィルムスキャナ２と、各種情報を表示するディスプレイ３と、画像処理及びプリントに必要な各種処理を行う汎用コンピュータで成る画像処理装置４とを配置している。コンソール１の上面には前記画像処理装置４に対して情報を入力するためキーボード５と、ポインティングデバイスとして機能するマウス６とを備えている。
【００２３】
前記画像処理装置４には、ＣＤやＭＯやＦＤ等のディスク型のメディアからの画像データを取得する、あるいは、半導体型のメディア（図示せず）からの画像データを取得するように夫々のメディアの構造に対応したメディアドライブ７を備えている。この画像処理装置４は、前記ディスプレイ３の表示に従って各種の処理を前記キーボード５やマウス６の操作により実現するＧＵＩ（Graphical User Interface）型のインタフェースを具備している。更に、この画像処理装置４には前記フィルムスキャナ２、あるいは、前記メディアドライブ７で取り込まれた画像データをディスプレイ３に表示して補正処理を行うソフトウエア、前記画像データに必要とする加工（可能の形態については後述する）を施すソフトウエア、及び、前記画像データとプリントサイズやプリント枚数等の処理情報を前記プリント部Ｂに伝送することによりプリント部Ｂでのプリント処理を実現するソフトウエアがインストールされている。
【００２４】
前記フィルムスキャナ２は、下部に発光ダイオードやハロゲンランプ等を有した光源部を配置し、中間部にズームレンズを配置し、上部にズームレンズからのコマ画像をＲ（赤）、Ｇ（緑）、Ｂ（青）３原色に色分解して取り込むラインＣＣＤ型の光電変換部を配置している。このフィルムスキャナ２では、写真フィルムＦのスキャニングを行う場合、その写真フィルムＦのサイズに適合したフィルムキャリア２Ａを光源部の上面に装着してスキャニングを開始することにより、写真フィルムＦを副走査方向（長手方向）に搬送する作動と同期して光電変換部において写真フィルムＦのコマ画像を主走査方向に沿ってデジタル信号化して取り込む処理が行われ、取り込まれた画像データは、前記画像処理装置４に転送され保存される。
【００２５】
〔プリント部〕前記プリント部Ｂは、図１及び図２に示すように、露光ブロックＥｘと、現像ブロックＤｅと、乾燥ブロックＤｒとを暗箱構造の筐体１０に収納して成ると共に、筐体１０の外部には、処理の後に筐体１０の上部から送り出される印画紙Ｐを水平方向に送る搬送ベルト１１を備え、この搬送ベルト１１から送られる印画紙Ｐをオーダ単位で仕分けて集積するよう複数のトレー１２を有したソータ１３を備え、更に、搬送ベルト１１の下方位置には大きいサイズの印画紙Ｐを受け止めるラック１４を備えている。
【００２６】
前記露光ブロックＥｘは、下部に２つの印画紙マガジンＭを配置すると共に、上部位置に露光ヘッドＨを配置している。この露光ブロックＥｘでは、印画紙マガジンＭ、Ｍの一方に収納したロール状の印画紙Ｐを圧着型のアドバンスローラ１６によって引き出し、カッターユニット１７でプリントサイズに切断し、この切断された印画紙Ｐの裏面側に印字ヘッド１８によって色補正情報等をプリントし、この後、印画紙Ｐを挟持搬送するチャックユニット１９によって露光経路に送り込む制御が実行される。
【００２７】
前記露光経路では、前記チャックユニット１９からの印画紙Ｐを受取ローラ２０で受け取ると共に、この印画紙Ｐを一対の駆動ローラ２１と、これに対応する一対の従動ローラ２２とで圧着して上方（副走査方向）に搬送する。この搬送によって前記印画紙Ｐが露光位置に達すると前記露光ヘッドＨからのレーザビームで主走査方向に沿って露光が行われる。そして、この露光を終えた印画紙Ｐは、複数の圧着ローラ２３を備えた前搬送経路において搬送方向を水平方向に変換された後に、２つのチャッカー２４を備えた振り分け経路において２列の振り分け経路に振り分けられ、更に、複数の圧着ローラ２５を備えた後搬送経路から前記現像ブロックＤｅの圧着型の導入ローラ２６に受け渡される。
【００２８】
前記現像ブロックＤｅは、発色現像槽と漂白定着槽と安定槽とで成る複数の処理槽を一体形成した現像処理槽２７を備えると共に、夫々の現像処理槽に印画紙Ｐを供給する搬送機構２８を備えており、前記露光ブロックＥｘから供給された印画紙Ｐの現像処理を、前記複数の処理槽において行う。前記乾燥ブロックＤｒは、現像ブロックＤｅから送り出された印画紙Ｐに対してブロワ２９からの乾燥空気を供給して乾燥を行う。
【００２９】
本発明では、前記メディアドライブ７でメディアから取得した画像データ、あるいは、前記フィルムスキャナ２で写真フィルムＦから取得した画像データに加工を施す画像処理部３７（図３を参照）を画像処理装置４に備えており、この画像処理部３７における加工形態に特徴を有するものである。
【００３０】
因みに、前記画像処理部３７による画像データの加工形態の一例として、図６に示す如く、画像データの中央位置に設定した複写領域Ｃの画像データの一部を複写して複写データＣｄを生成し、この複写データＣｄを予め設定した合成ルールに基づいて画像データと合成する処理を挙げることができる。
【００３１】
図３に示すように、前記画像処理装置４は、情報処理を行うマイクロプロセッサ（ＣＰＵ）を備えると共に、このマイクロプロセッサ（ＣＰＵ）に対して情報の入出力を行う入出力インタフェース３１を備え、この入出力インタフェース３１に対してフィルムスキャナ２、ディスプレイ３、キーボード５、マウス６、メディアドライブ７、及び、ハードディスクＨＤ夫々の間で情報のアクセスを行える信号系を備えている。
【００３２】
前記マイクロプロセッサＣＰＵはデータバスに対して、ＲＡＭ／ＲＯＭで成る半導体メモリ３２、オペレーティングシステム３３、画像データ取得手段３４、処理実行手段３５、画像データ補正手段３６、画像処理部３７夫々が接続している。ちなみに、この画像処理装置４で制御を実現するためにはデータバスの他にコントロールバスやアドレスバス等を必要とするものであるが、複雑化を避けるために図面にはコントロールバスやアドレスバス、あるいは、インタフェース類を示していない。
【００３３】
前記オペレーティングシステム３３は、この画像処理装置４にインストールされているソフトウエアを管理すると共に、処理に必要な情報をディスプレイ３に表示し、ディスプレイ３に表示されたカーソル４９（図５を参照）等を介して必要とする処理を実現するようにＧＵＩ（Graphical User Interface）型に構成されている。
【００３４】
前記画像データ取得手段３４は、前記フィルムスキャナ２あるいはメディアドライブ７を介して画像データを取得し、取得した画像データを前記半導体メモリ３２あるいはハードディスクＨＤに保存する。
【００３５】
前記処理実行手段３５は、プレジャッジ画面（図示せず）を前記ディスプレイ３に表示し、このプレジャッジ画面に対して前記画像データ取得手段３４で取得した画像データをサムネイル形式で表示し、このプレジャッジ画面においてプリント対象とする画像データの設定と、プリントサイズの設定と、プリント枚数の設定とを行い、これらのデータを前記プリント部Ｂに伝送してプリント処理を実現する、或いはプレジャッジ画面において選択した画像データを前記メディアドライブ７又は外部に接続した外部メディア書き込み部（例えば、ＣＤ−Ｒドライブ）に伝送することによりメディアに対して画像データを保存する処理を実現する。
【００３６】
また、この処理実行手段３５は、後述する合成処理によって生成された画像データを前記プリント部Ｂに伝送してプリント処理を実現する、或いは前記メディアドライブ７に伝送する、又は、メディアドライブ７又は外部に接続した外部メディア書き込み部に伝送することによりメディアに対する保存処理を実現するようにも機能する。
【００３７】
前記画像データ補正手段３６は前記画像データの補正を行う。つまり、この画像データ補正手段３６は、前記プレジャッジ画面において画像データを指定して色補正や濃度補正等を実現する。また、この画像データ補正手段３６は、プレジャッジ画面において画像データを指定し、補正画面を更に表示した状態で画像データのコントラスト補正やレベル補正等の補正も実現する。
【００３８】
これらオペレーティングシステム３３、画像データ取得手段３４、処理実行手段３５、画像データ補正手段３６、画像処理部３７夫々は、半導体メモリＲＡＭ上に展開可能なソフトウエア（プログラム）を想定しているが、一部又は全てをロジック等のハードウエアで構成することも可能である。
【００３９】
前記画像処理部３７は、複写手段３７Ａと合成手段３７Ｂとで構成されている。この複写手段３７Ａは、図４に示すように画像データＧｄの複写領域Ｃの画像データを複写して複写データＣｄを生成する処理を行い、前記合成手段３７Ｂは複写データＣｄを、予め設定された画像データＧｄに重ね合わせて合成する処理を実行する。
【００４０】
〔合成処理〕
この合成処理の処理形態の概要を図４のように示すことが可能である。つまり、前記フィルムスキャナ２又はメディアドライブ７を介して前記画像データ取得手段３４が取得した画像データＧｄを第１レイヤＬ１に保存する。このように第１レイヤＬ１に保存された画像データＧｄは前記ディスプレイ３に表示され、オペレータの操作又は自動的な処理によって第１レイヤＬ１に保存した画像データＧｄの複写領域Ｃが指定される。このように指定された複写領域Ｃを複写手段３７Ａが複写して複写データを生成する。このように生成された複写データＣｄは前記合成手段３７Ｂが合成ルールに従って複数化し（単一でも良い）、合成ルールに従った配置パターンと表示位置データとに基づいて第２レイヤＬ２に保存する。
【００４１】
この第１レイヤＬ１及び第２レイヤＬ２は重ね合わせる形態でディスプレイ３に表示され、オペレータはディスプレイ３の表示に基づいて合成状態を確認した後、合成結果は保存される。このように保存された合成画像データは前記プリント部Ｂにおいてプリントすることが可能となる。
【００４２】
つまり、画像処理装置４において合成処理を選択した場合には、図５に示す合成処理画面４０がディスプレイ３に表示される。この合成処理画面４０には処理画面４１と、画像データボタン４２と、合成ルールボタン４３と、複写領域ボタン４４と、融合率ボタン４５と、合成処理ボタン４６と、戻るボタン４７と、ＯＫボタン４８とが形成されている。
【００４３】
前記処理画面４１は、前記画像データＧｄが展開される第１レイヤＬ１と、前記複写データＣｄが展開される第２レイヤＬ２とを重ね合わせて表示する領域であり、画面中でのカーソル４９の操作によりオペレータが必要とする処理（後述する）を行える。
【００４４】
また、前記画像データボタン４２、合成ルールボタン４３、複写領域ボタン４４、融合率ボタン４５、合成処理ボタン４６、戻るボタン４７、ＯＫボタン４８夫々は前記キーボード５やマウス６の操作によってカーソル４９で選択した状態でキーボード５の特定のキーを操作することやマウス６のスイッチによって操作する。
【００４５】
画像データボタン４２は、合成処理を行う画像データＧｄの選択を実現するものであり、この画像データボタン４２を操作した場合には、画像データＧｄのリスト又はサムネイル画像（図示せず）の一覧が表示され、この一覧から選択した画像データＧｄが前記処理画面４１に表示される。
【００４６】
因みに、このように画像データＧｄを選択する操作に代えて、前述したプレジャッジ画面に表示されたサムネイル形式で表示された画像データＧｄから合成対象とする画像データＧｄを選択して前記合成処理画面４０を表示するように処理形態を設定しても良い。
【００４７】
前記合成ルールボタン４３は、合成処理を行う際の合成ルールの設定や確認を行うものである。この合成ルールボタン４３を操作した場合には、図７に示す合成ルール画面５０が前記ディスプレイ３に表示される。この合成ルール画面５０には配置パターン設定部５０Ａと表示位置データ設定部５０Ｂとが形成されている。前記配置パターン設定部５０Ａには配置パターン確認部５１と、スクロールバー５２とを形成している。また、前記表示位置データ設定部５０Ｂにはデータ入力部５３を形成し、この画面の下部にはＯＫボタン５４を形成している。
【００４８】
この合成ルール画面５０では、前記スクロールバー５２の操作で複数の配置パターンのうちのいずれか１つを配置パターン確認部５１に表示する形態で選択できる。この複数の配置パターンの１つとして前記図８に示したものは、単一の任意軸上の中心位置Ｘを基準として対象となる位置（中心位置Ｘから等距離となる位置）に表示位置Ｙを形成したものを示している。表示位置Ｙは画像データ中における任意軸Ｚの中心位置Ｘと、画像データ中における任意軸Ｚの長さと、中心位置Ｘとの比率で表している。前記中心位置Ｘは前記複写領域Ｃの中心に自動的に初期設定されるが、この中心位置Ｘを画像データＧｄの中央位置に固定する必要はなく、この中心位置Ｘ、前記表示位置Ｙ、前記任意軸Ｚの傾斜角θ（仮想水平軸に対する任意軸Ｚの傾斜角度）夫々をカーソル４９によってドラッグする（マウス６のスイッチをＯＮ操作したままマウス６を移動させる）等の操作で任意の位置に設定することも可能である。
【００４９】
この設定結果が前記配置パターン設定部５０Ａと前記表示位置データ設定部５０Ｂに反映されるものであるが、前記表示位置データ設定部５０Ｂの前記データ入力部５３に対して任意の値を入力することにより、前記任意軸Ｚの傾斜と、前記比率とを前記データ入力部５３において入力しても良い。図７においては、任意軸Ｚの傾斜角θを１５°に設定しており、比率ｎ／ｍを１／２に設定している。そして、ＯＫボタン５４を操作することにより、前述のように設定された配置パターンと、任意軸Ｚの傾斜角θの値と、比率の値とが初期値にセットされる。
【００５０】
図面には示していないが、前記配置パターンとして水平姿勢の固定軸Ｚと、この固定軸Ｚ上に複数の表示位置Ｙを設定した配置パターンも準備され、この配置パターンを選択した場合には、複写データが水平方向に並列的に配置される形態での合成が可能となる。これと同様に、配置パターンとして、垂直姿勢の固定軸Ｚと、この固定軸Ｚ上に複数の表示位置Ｙを設定した配置パターンも準備され、この配置パターンを選択した場合には、複写データが垂直方向に配置される形態での合成が可能となる。
【００５１】
また、配置パターンとして図９、図１０に示すものを例に挙げることが可能である。この配置パターンは、中心位置Ｘを中心として任意の半径となる円周Ｚを４つに分割する位置に４つの表示位置Ｙを形成している。任意の半径は画像データの所定の方向の長さとの比率で表し、１つの表示位置を角度αで表示している。
【００５２】
前記複写領域ボタン４４を操作した場合には、図１２に示す複写領域画面６０が前記ディスプレイ３に表示される。この複写領域画面６０には複写形態表示部６１と、複写形態設定部６２と、ＯＫボタン６３とが形成されている。前記複写領域画面６０では複写形態設定部６２においてチェックした形態となる複写領域Ｃの形態が前記複写形態表示部６１に表示され、この表示に基づいて複写領域Ｃを確認できる。また、この複写領域Ｃの中央位置を前記中心位置Ｘ（画像データＧｄの中央領域）に一致させるように初期設定されている。
【００５３】
同図には、長軸と短軸との長さの値がｑ・ｒとなる楕円形状となる複写領域Ｃを示しており、この表示状態でキーボード５やマウス６の操作によって長軸の姿勢を変更することや、長軸と短軸との比率を変更する等の設定が可能である。また、画像データＧｄの複写を行う際には、複写形態表示部６１に示される輪郭がループ状の複写領域Ｃとして前記処理画面４１に表示される。この輪郭はキーボード５やマウス６の操作で平行移動させることや、複写領域Ｃの輪郭をカーソルで選択した状態でマウス６の操作でドラッグする等の操作で変形することも可能であり、ＯＫボタン６３の操作で確定する。
【００５４】
前記融合率ボタン４５を操作した場合には、図１３に示す融合率設定画面７０が前記ディスプレイ３に表示される。この融合率設定画面７０には、融合特性表示部７１と、融合領域設定部７２と、融合特性設定部７３と、ＯＫボタン７４とが形成されている。本発明の合成処理では、複写データＣｄを画像データＧｄに重ね合わせる形態で合成する際に、複写データＣｄと画像データＧｄとの境界部分を目立ち難くするため複写データＣｄの外周部分の透明度を高めており、この融合率設定画面７０では透明度を高める（融合度を高める）際の特性を設定するために機能する。
【００５５】
前記融合特性表示部７１には、複写データＣｄの中央部から外縁までの距離Ｔ１に対する融合処理の距離Ｔ２、及び、融合処理の距離Ｔ２における融合率をグラフ化して表示している。前記融合領域設定部７２では前記距離Ｔ１と距離Ｔ２との比率として任意の値の設定が可能である。また、融合特性設定部７３ではメニューから任意の特性を選択できる。因みに、メニューには２次関数の他に１次関数や対数関数等で表し得る減少傾向となる任意の特性を設定でき、ＯＫボタン７４の操作で設定が確定する。
【００５６】
前記融合率が設定される距離Ｔ２を複写データＣｄの周部からの一定の距離になるように設定することや、複写データＣｄの各部において任意の距離に設定しても良い。
【００５７】
この合成処理を図１４のフローチャートのように示している。合成処理時には前記フィルムスキャナ２あるいはメディアドライブ７を介して取得した画像データＧｄを第１レイヤＬ１に転送し、前記合成処理画面４０の処理画面４１に表示される（＃０１ステップ）。次に、合成ルール・複写領域・融合率のオペレータによる設定を許すと共に、合成処理ボタン４６を操作することにより、合成ルールと融合率のデータに従って複写データを第２レイヤＬ２に転送することにより合成が行われる（＃０２〜＃０４ステップ）。
【００５８】
この状態では、第１レイヤＬ１の画像データに第２レイヤＬ２の複写データを重ね合わせた形態のデータが前記処理画面４１に表示され、合成状態をオペレータが確認できる。
【００５９】
この表示状態で前記合成ルールボタン４３を操作して合成ルールの変更、複写領域ボタン４４を操作して複写領域の変更、前記融合率ボタン４５を操作して融合率の変更を行うことが許され、この変更を行った場合には、合成画像データに反映される（＃０５ステップ）。
【００６０】
また、処理画面上においてカーソル４９で複写データの１つを選択してドラッグする形態（マウス６のスイッチをＯＮ操作したままマウス６を移動させる形態の操作）で表示位置を変更する操作を行った場合には、表示位置の変更を許し、表示位置データを変更し、配置パターンに従って他の複写データを再配置する（＃０６ステップ）。
【００６１】
この＃０６ステップの処理では、処理画面４１に表示された複数の複写データＣｄのうちの１つをカーソル４９で選択して例えばドラッグする形態を行った場合には、配置パターンは変更されず、前記合成ルールのうち表示位置データとして設定されたものだけの変更が許される。従って、図８に示すように、任意軸Ｚ上に、中心位置Ｘを基準にして対称となる位置に表示位置Ｙを設定したものでは、複写データを上下方向に移動させる操作を行った場合には、任意軸Ｚの傾斜角θが変更され、複写データを中心位置Ｘを基準に接近させる方向又は離間させる方向に移動させた場合には、前記比率ｎ／ｍが変更される。
【００６２】
このように一方の複写データの表示位置が変更された場合には、前述のように任意軸Ｚの傾斜が変更され、中心位置Ｘを基準にした比率ｎ／ｍが変更されるので、他方の複写データも対応する位置に再配置され、図６に示す如く夫々の複写データＣｄは中心位置Ｘを基準として対称となる位置に配置されるのである。
【００６３】
前記合成ルール画面５０では軸を任意軸Ｚとしていたが、配置パターンとし固定軸上に複数の表示位置Ｙを形成したものを用いても良い。この場合、比率ｎ／ｍのみが表示位置データとなり、複写データをドラッグした場合には複写データを中心位置Ｘに対して接近させる方向又は離間させる方向にのみ移動させることが可能となる。
【００６４】
また、合成ルールとして図１０に示すように任意円Ｚの円周上に４つの表示位置Ｙを形成したものでは、複写データを任意に移動させた場合には、中心位置Ｘに対して接近させる方向又は離間させる方向に表示位置Ｙの変更が可能となり（任意円Ｚの半径の変更が可能）、この任意円Ｚの円周Ｚ上において周方向に表示位置Ｙを変更する（前記角度αを変更する）ことも可能となる。このように１つの複写データＣｄの表示位置が変更されることにより、図１１に示すように、他の複写データＣｄも変更された表示位置データに従って再配置される。
【００６５】
このように任意円Ｚの円周上に複数の表示位置Ｙを形成したものに代えて、固定円の円周上に複数の表示位置Ｙを形成するように前記合成ルールを設定しても良い。このように合成ルールを設定した場合には、固定円は半径の値が固定されるので、複数の表示位置は固定円の円周上を移動する形態でのみ表示位置の変更が許される。
【００６６】
この＃０４〜＃０６ステップの処理はＯＫボタン４８を操作するまで可能であり、フローチャートには示していないが誤操作を行った場合等には、戻るボタン４７を操作することにより、直前の操作をキャンセルすることも可能である。そして、ＯＫボタン４８を操作した場合には第１レイヤＬ１と第２レイヤＬ２とを重ね合わせる形態で合成して単一のレイヤとなる画像データを生成する（＃０７、＃０８ステップ）。
【００６７】
このように本発明によると、合成ルール、複写領域、融合率を任意に設定して合成処理ボタン４６を操作するだけで、画像データの複写領域Ｃの画像データを複写データＣｄとして複写し、この複写データＣｄを画像データＧｄに重ね合わせる形態で合成する処理を行える。このような合成処理を行うことにより、画像データ中に１つだけ存在する被写体を複数化して表示し印象深い画像データを生成してプリントすることや、メディアに保存することも可能となる。
【００６８】
また、合成ルールは、固定された表示位置Ｙに複写データＣｄを表示するものではなく、複写データＣｄの配置関係を決める配置パターンと、複写データＣｄの表示位置を決める表示位置データとで構成しているので、合成処理の後に、画面で確認を行いながら表示位置を変更した場合にも、配置パターンを崩すことなく、複数の複写データＣｄの位置関係を変更できる。
【００６９】
〔別実施の形態〕
本発明は、上記した実施の形態以外に以下のように構成しても良い。
【００７０】
（ａ）複写データＣｄを表示する表示位置Ｙが単一であっても良い。このように単一の複写データＣｄを表示位置Ｙに表示する場合の合成ルールは、ロケイトデータのように座標を示す値となる。
【００７１】
（ｂ）複数の表示位置Ｙに複写データＣｄを表示するもので、複数の複写データＣｄの大きさを、複写データＣｄ毎に任意に変更できるように構成する。このように複写データＣｄの大きさを任意に変更することによって合成画像を一層印象的なものにできる。
【００７２】
（ｃ）複数の表示位置Ｙに複写データＣｄを表示するもので、複数の複写データＣｄの色調を任意に変更できるように構成する。このように複写データＣｄの色調を任意に変更することによって合成画像を一層印象的なものにできる。
【産業上の利用可能性】
【００７３】
画像処理装置として、インターネット等の通信手段上に配置したサーバで構成する。このように通信手段上に配置したサーバで構成した場合には、複数のユーザが必要に応じて高度な画像処理を行える。
【図面の簡単な説明】
【００７４】
【図１】写真プリント装置の斜視図
【図２】プリント部の縦断正面図
【図３】画像処理装置のブロック回路図
【図４】合成処理におけるデータの流れを示す図
【図５】合成処理画面を示す図
【図６】合成処理時における合成処理画面を示す図
【図７】合成ルール画面を示す図
【図８】配置パターンの詳細を示す図
【図９】異なる配置パターンが設定された合成ルール画面を示す図
【図１０】異なる配置パターンの詳細を示す図
【図１１】異なる配置パターンでの合成処理時の処理画面を示す図
【図１２】複写領域画面を示す図
【図１３】融合率設定画面を示す図
【図１４】合成処理のフローチャート
【符号の説明】
【００７５】
３            ディスプレイ
３４          画像データ取得手段
３６          処理実行手段
３７          画像処理部
３７Ａ        複写手段
３７Ｂ        合成手段
Ｂ            プリント部
Ｃ            複写領域
Ｃｄ          複写データ
Ｇｄ          画像データ
【図１】
2006203759.tif 000003
【図２】
2006203759.tif 000004
【図３】
2006203759.tif 000005
【図４】
2006203759.tif 000006
【図５】
2006203759.tif 000007
【図６】
2006203759.tif 000008
【図７】
2006203759.tif 000009
【図８】
2006203759.tif 000010
【図９】
2006203759.tif 000011
【図１０】
2006203759.tif 000012
【図１１】
2006203759.tif 000013
【図１２】
2006203759.tif 000014
【図１３】
2006203759.tif 000015
【図１４】
2006203759.tif 000016